(57)【特許請求の範囲】
【請求項１】
紙幣挿入口から紙幣が挿入されたことを検知して内部に搬送する紙幣識別装置であって、
前記紙幣挿入口から紙幣搬送方向下流に向かって屈曲して配置されて、可視から近赤外の波長領域にある光を吸収し、前記紙幣の一方の面側をガイドするガイド口と、
前記ガイド口に沿って屈曲し、前記ガイド口に対向して配置されて、前記紙幣の他方の面側をガイドするアンダーガイドと、
前記アンダーガイドにおいて屈曲部の前記紙幣搬送方向下流側であって前記紙幣挿入口から入射した光が当たらない位置に設けられて、前記紙幣が挿入されたことを検知する入口反射センサーと、
を有することを特徴とする紙幣識別装置。
【請求項２】
前記入口反射センサーは、略７００ｎｍないし略１１５０ｎｍの波長領域に分光感度を有し、
前記ガイド口は、ポリカーボネートとアクリロニトリル−ブタジエン−スチレン樹脂とから成り、黒色の艶消しグレードであることを特徴とする請求項１記載の紙幣識別装置。
【発明の詳細な説明】
【０００１】
【発明の属する技術分野】
本発明は紙幣識別装置に関し、特に自動販売機などに搭載されて紙幣挿入口から紙幣が挿入されたことを検知して内部に搬送する紙幣識別装置に関する。
【０００２】
【従来の技術】
自動販売機は、紙幣挿入口に紙幣が挿入されると、その挿入を検知し、搬送モータで内部に搬送して収納する紙幣識別装置を搭載している。
【０００３】
図４は従来の紙幣識別装置を正面側から見た外観の斜視図、図５は図４のＢ−Ｂ線における紙幣挿入口の破断面図である。
紙幣識別装置１００は、紙幣挿入口１０１と、紙幣挿入口１０１の背面側に配置された紙幣識別部１０２と、紙幣識別部１０２の下方に配置された紙幣収納部１０３とから構成されている。さらに、紙幣識別装置１００には、図５に示すように、紙幣挿入口１０１から紙幣搬送方向下流に向かってガイド口１０１ａが設けられていて、このガイド口１０１ａに対向してアンダーガイド１０１ｂが設けられている。さらに、アンダーガイド１０１ｂには、紙幣搬送方向下流に入口反射センサー１０１ｃが設けられている。
【０００４】
図４および図５に示した構成の紙幣識別装置１００において、紙幣挿入口１０１より紙幣が挿入され、その挿入が入口反射センサー１０１ｃによって検知されると、搬送モータが正転動作し、挿入された紙幣がガイド口１０１ａおよびアンダーガイド１０１ｂにガイドされて内部に取り込まれ、紙幣識別部１０２に搬送される。紙幣は、ここで真贋を判定され、真券と判定されなければ、その時点で搬送モータが逆転動作してその紙幣を紙幣挿入口１０１に戻す。真券と判定されると、その紙幣はさらに搬送されて、紙幣収納部１０３に収納される。
【０００５】
このような紙幣識別装置１００において、そのガイド口１０１ａは、ポリカーボネート（Polycarbonate，ＰＣ）とアクリロニトリル−ブタジエン−スチレン（Acrylonitrile-Butadiene-Styrene，ＡＢＳ）樹脂とを適当な割合で配合して成る、ライトグレー色のＰＣ／ＡＢＳによって形成されている。
【０００６】
【発明が解決しようとする課題】
しかしながら、従来の紙幣識別装置では、特定波長領域の光が紙幣挿入口から内部に入射した場合に、その後の紙幣の受け付けが拒否される現象が発生するという問題点があった。
【０００７】
これは、図４および図５に示した従来の紙幣識別装置１００において、その紙幣挿入口１０１のガイド口１０１ａを形成するライトグレー色のＰＣ／ＡＢＳが、可視から近赤外の波長領域にある光を反射する特性を有していることによる。
【０００８】
例えば、太陽光が紙幣挿入口１０１に差し込んだ場合、この太陽光に含まれる可視から近赤外の波長領域にある光は、ガイド口１０１ａで反射する。ガイド口１０１ａで反射した反射光は、ガイド口１０１ａに対向して配置されているアンダーガイド１０１ｂに入射し、ここで再び反射され、この反射光がさらにガイド口１０１ａに入射する。
【０００９】
このように、紙幣挿入口１０１から入射した光は、ガイド口１０１ａとアンダーガイド１０１ｂとの間で反射を繰り返し、紙幣搬送方向下流へ進入していく。そして、この光が最終的に入口反射センサー１０１ｃまで到達し、さらに、その光が、入口反射センサー１０１ｃが応答する波長領域の光であった場合には、紙幣識別装置１００は、紙幣が挿入されたと誤認し、搬送モータの正転動作を開始する。
【００１０】
ここで、実際には紙幣は挿入されていないので、例えば３秒間といった一定時間が経過しても、入口反射センサー１０１ｃ以外のセンサーが作動しない。この場合、紙幣識別装置１００は、紙幣挿入口１０１付近で異常が発生したと判断し、搬送モータの逆転動作を開始する。
【００１１】
搬送モータの逆転動作が終了すると、紙幣識別装置１００は紙幣排除待ちの状態となる。したがって、紙幣識別装置１００は、入口反射センサー１０１ｃに光が当たっている間は、紙幣挿入口１０１に排除待ちの紙幣があると判断するため、受け付け不可の状態が続いてしまうことになる。
【００１２】
このように、従来の紙幣識別装置では、紙幣挿入口から入射した光によって、入口反射センサーが誤認し、その後の紙幣の受け付けが拒否される場合があった。
【００１３】
本発明はこのような点に鑑みてなされたものであり、紙幣挿入口から入った光によって誤動作しない紙幣識別装置を提供することを目的とする。
【００１４】
【課題を解決するための手段】
本発明では上記問題を解決するために、紙幣挿入口から紙幣が挿入されたことを検知して内部に搬送する紙幣識別装置であって、前記紙幣挿入口から紙幣搬送方向下流に向かって屈曲して配置されて、可視から近赤外の波長領域にある光を吸収し、前記紙幣の一方の面側をガイドするガイド口と、前記ガイド口に沿って屈曲し、前記ガイド口に対向して配置されて、前記紙幣の他方の面側をガイドするアンダーガイドと、前記アンダーガイドにおいて屈曲部の前記紙幣搬送方向下流側であって前記紙幣挿入口から入射した光が当たらない位置に設けられて、前記紙幣が挿入されたことを検知する入口反射センサーと、を有することを特徴とする紙幣識別装置が提供される。
【００１５】
このような紙幣識別装置によれば、ガイド口が可視から近赤外の波長領域にある光を吸収するので、紙幣挿入口に可視から近赤外の波長領域にある光が入射してきてもガイド口で吸収される。これにより、紙幣挿入口から入射した光は、ガイド口とアンダーガイドとの間で反射を繰り返して紙幣搬送方向下流に進入することがなく、入口反射センサーに到達しない。したがって、入口反射センサーが誤認しない。
【００１６】
【発明の実施の形態】
以下、本発明の実施の形態を、図面を参照して詳細に説明する。
図２は紙幣識別装置を正面側から見た外観の斜視図である。
【００１７】
紙幣識別装置１０は、紙幣挿入口１１と、紙幣挿入口１１の背面側に配置された紙幣識別部１２と、紙幣識別部１２の下方に配置された紙幣収納部１３とから構成されている。
【００１８】
上記の構成の紙幣識別装置１０において、紙幣挿入口１１から紙幣が挿入されると、図示しない搬送モータが正転動作し、挿入された紙幣は紙幣識別装置１０の内部に取り込まれ、まず、紙幣識別部１２に搬送される。紙幣は、ここで真贋を判定され、真券と判定されなければ、その時点で搬送モータが逆転動作して紙幣挿入口１１に戻される。一方、挿入された紙幣が真券と判定されると、その紙幣はさらに搬送され、紙幣収納部１３に収納される。
【００１９】
図１は紙幣識別装置の紙幣挿入口の破断面図である。ただし図１は図２のＡ−Ａ線における紙幣挿入口の破断面図を示している。
紙幣識別装置１０には、紙幣挿入口１１から紙幣搬送方向下流に向かってガイド口１１ａが設けられていて、このガイド１１ａに対向してアンダーガイド１１ｂが設けられている。さらに、アンダーガイド１１ｂには、紙幣挿入口１１から紙幣搬送方向下流に、入口反射センサー１１ｃが設けられている。
【００２０】
ガイド口１１ａは、ＰＣとＡＢＳ樹脂とを適当な割合で配合して成るＰＣ／ＡＢＳによって形成されている。ＰＣ／ＡＢＳとしては、艶消しグレードであって、黒色のものが用いられる。この黒色ＰＣ／ＡＢＳ艶消しグレードは、可視から近赤外の波長領域にある光を吸収する特性を有している。
【００２１】
図３は入口反射センサーの分光感度特性を示す図である。
入口反射センサー１１ｃの分光感度は、波長が約７００ｎｍから約１１５０ｎｍの可視から近赤外の波長領域にあり、この波長領域の光のエネルギーに対しては応答する特性を有している。
【００２２】
上記の図１ないし図３に示した構成の紙幣識別装置１０において、紙幣挿入口１１に紙幣が挿入され、その紙幣が入口反射センサー１１ｃまで到達すると、入口反射センサー１１ｃは、紙幣が有るときと無いときとでの、入口反射センサー１１ｃが受光する光量の変化を検出することによって紙幣の挿入を検知する。そして、紙幣識別装置１０は、紙幣の挿入を検知すると、搬送モータの正転動作を開始し、紙幣はその上面および下面をそれぞれガイド口１１ａおよびアンダーガイド１１ｂにガイドされて紙幣識別装置１０の内部に搬送される。
【００２３】
ここで、紙幣の挿入待機状態に、紙幣挿入口１１から、例えば太陽光などに含まれるような、可視から近赤外の波長領域にある光は、黒色ＰＣ／ＡＢＳ艶消しグレードのガイド口１１ａに吸収される。これにより、紙幣挿入口１１から入射した光は、ガイド口１１ａとアンダーガイド１１ｂとの間で反射を繰り返して紙幣搬送方向下流へ進入することがなく、入口反射センサー１１ｃまで到達しない。すなわち、紙幣挿入口１１から入射した光に含まれていて、図３に示した入口反射センサー１１ｃが応答してしまう波長領域である約７００ｎｍから約１１５０ｎｍの波長領域にある光が、入口反射センサー１１ｃに受光されることがない。したがって、紙幣挿入口１１に光が入射しても、入口反射センサー１１ｃは誤認せず、紙幣識別装置１０が誤動作しなくなる。
【００２４】
以上説明した紙幣識別装置１０の紙幣挿入口１１に、快晴時（光強度８００００ルクス）に太陽光を垂直に当てた場合であっても、搬送モータの可動は認められなかった。また、電球（光強度４００００ルクス）を紙幣挿入口１１に近づけ、さらに、電球と紙幣挿入口１１とを接触させた場合であっても、搬送モータの可動は認められなかった。したがって、ガイド口１１ａを黒色ＰＣ／ＡＢＳ艶消しグレードで形成することにより、紙幣挿入口１１から入射した光が入口反射センサー１１ｃまで到達しなくなるので、入口反射センサー１１ｃが誤認せず、紙幣識別装置１０が誤動作しなくなる。
【００２５】
【発明の効果】
以上説明したように、本発明では、紙幣識別装置のガイド口が、可視から近赤外の波長領域にある光を吸収する構成にした。これにより、紙幣挿入口に可視から近赤外の波長領域にある光が入射してきても、紙幣搬送方向下流に進入することがなく、入口反射センサーまで到達しない。したがって、入口反射センサーが誤認せず、紙幣識別装置が誤動作しなくなる。
【図面の簡単な説明】
【図１】紙幣識別装置の紙幣挿入口の破断面図である。
【図２】紙幣識別装置を正面側から見た外観の斜視図である。
【図３】入口反射センサーの分光感度特性を示す図である。
【図４】従来の紙幣識別装置を正面側から見た外観の斜視図である。
【図５】図４のＢ−Ｂ線における紙幣挿入口の破断面図である。
【符号の説明】
１１  紙幣挿入口
１１ａ  ガイド口
１１ｂ  アンダーガイド
１１ｃ  入口反射センサー
【図１】
0004479129.tif 000002
【図２】
0004479129.tif 000003
【図３】
0004479129.tif 000004
【図４】
0004479129.tif 000005
【図５】
0004479129.tif 000006